(57)【要約】【課題】斬新で単純な構成の金属調の文字板並びにそれを用いた違和感のない表示計器および車載用計器装置を提供する。【解決手段】文字板２０は、中心に開口部２１１，２２１が形成された表示部２１２，２２３を有し、該表示部２１２，２２３の表面が金属調に処理され、表示意匠２１７，２２４が設けられた第１の文字板２１，２２と、第１の文字板２１，２２の開口部２１１，２２１を覆うように配置され、第１の文字板２１，２２の表示意匠２１７，２２４と異なる表示意匠２４６が設けられた第２の文字板２４と、第１の文字板２１，２２の開口部２１１，２２１を覆うように第２の文字板２４の前面に配置されたメッシュ板２３とを備えている。【選択図】図３
2005077208.tif 000002
【特許請求の範囲】
【請求項１】
中心に開口部が形成された表示部を有し、該表示部の表面が金属調に処理され、表示意匠が設けられた第１の文字板と、
前記第１の文字板の前記開口部を覆うように配置され、前記第１の文字板の表示意匠と異なる表示意匠が設けられた第２の文字板と、
前記第１の文字板の前記開口部を覆うように前記第２の文字板の前面に配置された金属製のメッシュ板と
を備えたことを特徴とする文字板。
【請求項２】
前記メッシュ板は、前記第１の文字板の金属調に処理された表面とほぼ同じ色の表面を有する
ことを特徴とする請求項１記載の文字板。
【請求項３】
前記第１の文字板の背面側に配置された導光板をさらに備え、
前記第１の文字板の前記表示部には、複数のスリットが形成されており、
前記導光板には、前記第１の文字板の背面側から表面側に突出するように前記スリットに挿入され、前記表示意匠の一部を構成する突出部が形成されている
ことを特徴とする請求項１記載の文字板。
【請求項４】
前記第１の文字板は、リング状文字板と該リング状文字板の下に配置されたドーナツ状文字板とからなり、
前記リング状文字板は、中心に円形の開口部が形成されると共に該開口部に向かって斜面になるように形成され、表面が金属調に処理されたすり鉢状の表示部を有し、前記表示部には、複数のスリットが形成され、複数のスリット間に線目盛が設けられており、
前記ドーナツ状文字板は、中心に開口部が形成され表面が金属調に処理されたドーナツ状部を有し、前記ドーナツ状部は、外周から内周に向けて所定幅の平板状の表示部と該表示部から連続してその内側に中心に向かって斜面になるように形成されたすり鉢状曲面部とを有し、前記ドーナツ状部の表示部は、前記リング状文字板の複数のスリットと対応する位置に複数のスリットが形成され、前記複数のスリットの各位置の近傍に数字目盛が設けられており、
前記導光板は、前記第１の文字板の背面側から表面側に突出するように前記リング状文字板および前記ドーナツ状文字板の複数のスリットに挿入され、前記線目盛の一部を構成する突出部が形成されている
ことを特徴とする請求項１記載の文字板。
【請求項５】
前記第２の文字板および前記メッシュ板には、それぞれ、同一寸法の表示器用窓が形成されている
ことを特徴とする請求項３または４記載の文字板。
【請求項６】
表示意匠が設けられた文字板と、
前記文字板の前面に配置されたメッシュ板と、
前記文字板の背面側に配置され、前記文字板の前記表示意匠を照明する光源とを備え、
前記メッシュ板は、複数の細孔が規則的にメッシュ状に形成されており、
前記細孔は、前記光源の点灯時に前記表示意匠が前記メッシュ板を介して視認され、前記光源の消灯時に前記表示意匠が前記メッシュ板を介してほとんど視認されない程度の寸法で形成されている
ことを特徴とする表示計器。
【請求項７】
請求項５記載の文字板と、
前記導光板に光を入射する第１の光源と、
前記第２の文字板の背面側に配置され、前記第２の文字板の前記表示意匠を照明する第２の光源と、
前記文字板の前面側に配置される指針と、
前記文字板の背面側に配置され、前記指針を駆動するムーブメントとを備え、
前記メッシュ板は、複数の細孔が規則的にメッシュ状に形成されており、
前記細孔は、前記第２の光源の点灯時に前記表示意匠が前記メッシュ板を介して視認され、前記第２の光源の消灯時に前記表示意匠が前記メッシュ板を介してほとんど視認されない程度の寸法で形成されている
ことを特徴とする表示計器。
【請求項８】
前記第１の文字板の前記表示意匠は、車両に関する計数的表示意匠であり、
前記第２の文字板の前記表示意匠は、車両に関するウォーニング用表示意匠である
ことを特徴とする請求項７記載の表示計器。
【請求項９】
前記第１の文字板に車両に関する第１の情報を表示するための第１の表示意匠が設けられた請求項５記載の文字板、前記導光板に光を入射する第１の光源、前記文字板の前面側に配置される指針、および前記文字板の背面側に配置され、前記指針を駆動するムーブメントを含む第１の表示計器と、
前記第１の文字板に車両に関する前記第１の情報と異なる第２の情報を表示するための第２の表示意匠が設けられた請求項５記載の文字板、前記導光板に光を入射する第１の光源、前記文字板の前面側に配置される指針、および前記文字板の背面側に配置され、指針を駆動するムーブメントを含む第２の表示計器と、
前記第１の情報に関連する第１の補助情報と、前記第２の情報に関連する第２の補助情報を表示する表示器とを備え、
前記第１および第２の表示計器は、各々の前記表示器用窓が互いに対向するように配置され、
前記表示器は、前記第１の補助情報の表示が前記第１の表示計器の前記表示器用窓に対応し、かつ前記第２の補助情報の表示が前記第２の表示計器の前記表示器用窓に対応するように、前記第１および第２の表示計器の背面側に配置される
ことを特徴とする車載用計器装置。
【発明の詳細な説明】
【技術分野】
【０００１】
本発明は、文字板並びにそれを用いた表示計器および車載用計器装置に関するものである。
【背景技術】
【０００２】
図９および図１０は、それぞれ、特開２００１−１６５７１５号公報に開示されている従来の計器用文字板の構造例を示す正面図および要部断面図である。計器用文字板１０は、自動車用メーターの文字板であり、メーターケース（図示しない）の前面側に配置され、その表面には所定の表示部４が形成されると共に、該文字板１０の前面側には時計ユニットにより駆動される指針（図示しない）が配置される。表示部４は、前記指針で指示される、数字、目盛等の計数的表示部４ａと、前記指針が所定の領域に入ったことを示すゾーン表示部４ｂと、各種の警告等を図形で表示するシンボル表示部４ｃと、からなっている。
【０００３】
また、前記メーターケースの背面側には、バックライト用の光源（図示しない）が配置されており、夜間時等に、バックライトで前記文字板１０を背面側から照射することにより前記文字板１０から透光させて、前記計数的表示部４ａにおける数字、目盛等の表示を視認することができるようになっている。
【０００４】
更に、前記シンボル表示部４ｃに対応させて文字板１０の裏面側には、たとえば、警告状態になった際に点灯する警告表示用光源（図示しない）が配置されていて、前記シンボル表示部４ｃをバックライト照射して所定の警告表示等を運転者に視認させるようになっている。
【０００５】
前記のような構成の自動車用メーターにおいて、前記計数的表示部４ａおよびゾーン表示部４ｃの部分では、図１０に示すように、透明材からなる文字板基板１の表面側にインキ層によって表示層１１が形成されると共にその上方に文字抜き層１２を設けてそれぞれ計数的表示部４ａおよびゾーン表示部４ｃが形成され、前記シンボル表示部４ｂの部分では文字板基板１の表面側にシンボルパターン１４を設けてこのシンボルパターン１４自体が表示層となっており、その上方に文字抜き層１２を設けてシンボル表示部４ｂが形成されている。このように、表示層１１および文字抜き層１２の構成が表示板全体の中で各箇所により異なっている。
【０００６】
具体的には、前記文字板１０は、透明ポリカーボネイト等の透明材からなる文字板基板１の表面側には、数字、目盛等の計数的表示部４ａ、ゾーン表示部４ｃ（実施例ではレッドゾーン）およびシンボル表示部４ｂを除く全面に黒インキ等による遮光層３が形成されると共に、シンボル表示部４ｂの部分を除く全面に光透過生の白色インキ層２が形成され、シンボル表示部４ｂの部分を除く全面には赤色層８が形成されて、ゾーン表示部４ｃの部分では、透光層３，白色インキ層２および赤色層８が表示層１１となっており、また、前記シンボル表示部４ｂ中のウォーニングシンボル部およびゾーン表示部４ｂを除く全面にスモーク色によるスモークインキ層９が形成され、更に、計数的表示部４ａ、ゾーン表示部４ｃ、シンボル表示部４ｂ部分等を除いて金属色層５（実施例ではシルバー色のシルバーインキ層）がそれぞれ形成されている。
【０００７】
シンボル表示部４ｂは文字板基板１の表面側に所定のシンボルパターン１４を設けることにより形成される。このようにして各層が形成された後、その全面を透明インキまたは仕様によってはスモーク色の透明性を有する透明インキ層で覆って透光層６を設ける。図１０において、７は全面にヘアライン加工などの模様加工によって形成された模様を示している。
【０００８】
文字板基板１の裏面側においては、シンボル表示部４ｂを除く全面に光透過性白色インキ層８が、ゾーン表示部４ｃだけに白色インキ層２ａが、それぞれ印刷形成され、更に、それぞれの表示部４ａ，４ｂ，４ｃの背面側に位置する所定の箇所には網点模様黒インキ層３ａが形成されている。
【特許文献１】特開２００１−１６５７１５号公報
【発明の開示】
【発明が解決しようとする課題】
【０００９】
上述の文字板は、数字、目盛等の計数的表示と、各種の警告等を図形で表示するシンボル表示（ウォーニング表示）とを一体化する場合、印刷にて対応しており、安価で単純な構造である。
【００１０】
しかしながら、印刷のため、表示としては計数的表示とシンボル表示（ウォーニング表示）が同じようなものになり、斬新さに乏しい。また、上述の文字板を、周囲を金属調にしたような表示計器に使用した場合、違和感がある。
【００１１】
さらに、上述の文字板は、表示部を形成する部位が多層構造になっており、それに起因してコスト高となる。
【００１２】
そこで本発明は、上述した従来の問題点に鑑み、斬新で単純な構成の金属調の文字板並びにそれを用いた違和感のない表示計器および車載用計器装置を提供することを目的としている。
【課題を解決するための手段】
【００１３】
請求項１記載の発明の文字板は、中心に開口部が形成された表示部を有し、該表示部の表面が金属調に処理（メッキまたは蒸着等等）され、表示意匠が設けられた第１の文字板と、第１の文字板の開口部を覆うように配置され、第１の文字板の表示意匠と異なる表示意匠が設けられた第２の文字板と、第１の文字板の開口部を覆うように第２の文字板の前面に配置された金属製のメッシュ板とを備えたことを特徴とする。
【００１４】
請求項２記載の発明の文字板は、請求項１記載の特徴に加えて、メッシュ板は、第１の文字板の金属調に処理された表面とほぼ同じ色の表面を有することを特徴とする。
【００１５】
請求項３記載の発明の文字板は、請求項１記載の特徴に加えて、第１の文字板の背面側に配置された導光板をさらに備え、第１の文字板の表示部には、複数のスリットが形成されており、導光板には、第１の文字板の背面側から表面側に突出するようにスリットに挿入され、表示意匠の一部を構成する突出部が形成されていることを特徴とする。
【００１６】
請求項４記載の発明の文字板は、請求項１記載の特徴に加えて、第１の文字板は、リング状文字板と該リング状文字板の下に配置されたドーナツ状文字板とからなり、リング状文字板は、中心に円形の開口部が形成されると共に該開口部に向かって斜面になるように形成され、表面が金属調に処理されたすり鉢状の表示部を有し、表示部には、複数のスリットが形成され、複数のスリット間に線目盛が設けられており、ドーナツ状文字板は、中心に開口部が形成され表面が金属調に処理されたドーナツ状部を有し、ドーナツ状部は、外周から内周に向けて所定幅の平板状の表示部と該表示部から連続してその内側に中心に向かって斜面になるように形成されたすり鉢状曲面部とを有し、前記ドーナツ状部の表示部は、前記リング状文字板の複数のスリットと対応する位置に複数のスリットが形成され、複数のスリットの各位置の近傍に数字目盛が設けられており、導光板は、第１の文字板の背面側から表面側に突出するようにリング状文字板およびドーナツ状文字板の複数のスリットに挿入され、線目盛の一部を構成する突出部が形成されていることを特徴とする。
【００１７】
請求項５記載の発明の文字板は、請求項３または４記載の特徴に加えて、第２の文字板およびメッシュ板には、それぞれ、同一寸法の表示器用窓２４３，２３３が形成されていることを特徴とする。
【００１８】
請求項６記載の発明の表示計器は、表示意匠が設けられた文字板と、前記文字板の前面に配置されたメッシュ板と、前記文字板の背面側に配置され、前記文字板の前記表示意匠を照明する光源とを備え、前記メッシュ板は、複数の細孔が規則的にメッシュ状に形成されており、前記細孔は、前記光源の点灯時に前記表示意匠が前記メッシュ板を介して視認され、前記光源の消灯時に前記表示意匠が前記メッシュ板を介してほとんど視認されない程度の寸法で形成されていることを特徴とする。
【００１９】
請求項７記載の発明の表示計器は、請求項５記載の文字板と、導光板に光を入射する第１の光源と、第２の文字板の背面側に配置され、第２の文字板の前記表示意匠を照明する第２の光源と、文字板の前面側に配置される指針と、文字板の背面側に配置され、指針を駆動するムーブメントとを備え、メッシュ板は、複数の細孔が規則的にメッシュ状に形成されており、細孔は、第２の光源の点灯時に表示意匠がメッシュ板を介して視認され、第２の光源の消灯時に表示意匠がメッシュ板を介してほとんど視認されない程度の寸法で形成されていることを特徴とする。
【００２０】
請求項８記載の発明の表示計器は、請求項７記載の特徴に加えて、第１の文字板の表示意匠は、車両に関する計数的表示意匠であり、第２の文字板の表示意匠は、車両に関するウォーニング用表示意匠であることを特徴とする。
【００２１】
請求項９記載の発明の車載用計器装置は、第１の文字板に車両に関する第１の情報を表示するための第１の表示意匠が設けられた請求項５記載の文字板、導光板に光を入射する第１の光源、文字板の前面側に配置される指針、および文字板の背面側に配置され、指針を駆動するムーブメントを含む第１の表示計器と、第１の文字板に車両に関する第１の情報と異なる第２の情報を表示するための第２の表示意匠が設けられた請求項５記載の文字板、導光板に光を入射する光源、文字板の前面側に配置される指針、および文字板の背面側に配置され、指針を駆動するムーブメントを含む第２の表示計器と、第１の情報に関連する第１の補助情報と、第２の情報に関連する第２の補助情報を表示する表示器とを備え、第１および第２の表示計器は、各々の表示器用窓が互いに対向するように配置され、表示器は、第１の補助情報の表示が第１の表示計器の表示器用窓に対応し、かつ第２の補助情報の表示が第２の表示計器の表示器用窓に対応するように、第１および第２の表示計器の背面側に配置されることを特徴とする。
【発明の効果】
【００２２】
請求項１記載の発明によれば、斬新で単純な構成の金属調の高級感のある文字板が得られる。
【００２３】
請求項２記載の発明によれば、全体が同色で落ち着いた金属調の高級感のある文字板が得られる。
【００２４】
請求項３記載の発明によれば、突出部が表示意匠の一部を構成する斬新な表示となると共に、その発光により表示意匠部分を照明することができる。
【００２５】
請求項４記載の発明によれば、リング状文字板のすり鉢状の表示部と、ドーナツ状文字板の平板状の表示部およびすり鉢状曲面部と、メッシュ板とが、それぞれ、段差を生じるように組み立てられているので、文字板の外周から中心に向かって沈み込むように視認できる立体感が得られる。
【００２６】
請求項５記載の発明によれば、表示器用窓が形成されているので、他の表示器を組み合わせることができる。
【００２７】
請求項６記載の発明によれば、斬新で単純な構成の金属調の高級感があると共に、光源点灯時に表示意匠が視認できかつ光源消灯時に表示意匠がほとんど視認できない、いわゆるブラックフェースタイプの表示計器が得られる。
【００２８】
請求項７記載の発明によれば、斬新で単純な構成の金属調の高級感があると共に、光源点灯時に表示意匠が視認できかつ光源消灯時に表示意匠がほとんど視認できない、いわゆるブラックフェースタイプの表示計器が得られる。
【００２９】
請求項８記載の発明によれば、車両に関する計数的表示とウォーニング表示を１つの表示計器で行うことができる。
【００３０】
請求項９記載の発明によれば、斬新で金属調の高級感のある車載用計器装置が得られる。また、１つの表示器で第１および第２の補助情報を第１および第２の表示計器の各表示器用窓にまたがって表示することができ、斬新な表示形態を得ることができる。
【発明を実施するための最良の形態】
【００３１】
以下、本発明を実施するための最良の形態について図面を参照して説明する。図１は、本発明による文字板の実施の形態を示す斜視図、図２は背面図、図３は分解斜視図、図４および図５は要部拡大斜視図である。なおこの実施の形態では、文字板は、たとえば車載用表示計器の文字板であり、タコメータ用の文字板として構成される場合について説明する。
【００３２】
図１〜図３に示すように、本発明の文字板２０は、第１の文字板としてのリング状文字板２１およびドーナツ状文字板２２と、メッシュ板２３と、第２の文字板としてのウォーニング表示用文字板２４と、導光板２５とからなる。
【００３３】
リング状文字板２１は、合成樹脂（たとえば、アクリル、ＡＢＳ等）の一体成形品からなり、中心に円形の開口部２１１が形成され、中心に向かって斜面になるように形成されたすり鉢状の表示部２１２を有する。また、表示部２１２の裏面から突出するように、環状部２１３が形成されている。環状部２１３の外周側から更に突出するように、複数（この実施の形態では、たとえば４個）のフック部２１４が形成されている。また、環状部２１３の内周側から更に突出するように、複数（この実施の形態では、たとえば３個）の位置決め用突起２１５が形成されている。
【００３４】
表示部２１２の表面には、たとえば蒸着、メッキ、蒸着＋塗装等が施されて、その表面を金属調としている。メッキ等の材料は、どのような色の金属調を出すかに応じて変更することができる。蒸着、メッキ、蒸着＋塗装等が施された表示部２１２の表面には、後述する導光板２５の突出部２５５を裏面より露出させるための複数のスリット２１６が形成されている。複数のスリット２１６の間には、印刷等により線目盛２１７が設けられている。
【００３５】
ドーナツ状文字板２２は、中心に円形の開口部２２１が形成された金属板（たとえば、Ｂｒａｓｓ（真鍮））によるドーナツ状部２２３を有する。また、開口部２２１に連通するように開口部２２１からほぼ外周付近にかけて、ほぼ方形の開口部２２２が形成されている。ドーナツ状部２２３は、外周から内周に向けて所定幅の平板状の表示部２２３ａと、表示部２２３ａから連続してその内側に中心に向かって斜面になるように形成されたすり鉢状曲面部２２３ｂとを有する。
【００３６】
ドーナツ状文字板２２の表面、すなわち、表示部２２３ａとすり鉢状曲面部２２３ｂには、リング状文字板２１の表面と同色の金属調の処理（たとえば、メッキ、蒸着、塗装等の処理）が施されている。金属調の処理（たとえば、メッキ、蒸着、塗装等の処理）が施された表示部２２３ａには、数字目盛２２４が印刷されている。表示部２２３ａの各数字目盛２２４と外周の間には、後述する導光板２５の突出部２５５を裏面より露出させるためのスリット２２５が形成されている。また、表示部２２３ａの外周付近には、リング状文字板２１の位置決め用突起２１５を挿通するための位置決め用穴２２６が形成されている。
【００３７】
導光板２５は、透明な合成樹脂（たとえば、アクリル）の一体成形品からなり、中心に開口部２５１が形成されたリング状部２５３を有する。また、開口部２５１に連通するように開口部２５１からほぼ外周付近にかけて、ほぼ方形の開口部２５２が形成されている。リング状部２５３の表面２５３ａは平面になっており、その平面から突設する複数の直方体状の突出部２５５が形成されている。
【００３８】
図４に示すように、リング状部２５３の表面２５３ａには、突出部２５５の部分を除いて、金属蒸着（たとえば、アルミ蒸着）２５３ｃが施されている。
【００３９】
また、表面２５３ａの外周付近には、リング状文字板２１の位置決め用突起２１５を挿通するための位置決め用穴２５６が形成されている。また、表面２５３ａには、複数（この実施の形態では、たとえば３個）のＶ字状凹部２５３ｂが形成されている。
【００４０】
リング状部２５３の裏面２５３ｃには、Ｖ字状凹部２５３ｂに対応する位置に、後述する第１の光源としてのＬＥＤ（発光ダイオード）１１０ｂからの光が入射される入射用突出部２５４が形成されている。また、リング状部２５３の裏面２５３ｃには、ボス２５７および２５８が突設されている。ボス２５７には、ネジ穴２５７ａが形成されている。また、ボス２５８には、位置決め用ピン２５８ａが形成されている。さらに、リング状部２５３の裏面２５３ｃの内周付近には、複数（この実施の形態では、たとえば３個）の突起２５９が形成されている。
【００４１】
また、リング状部２５３の外周には、複数（この実施の形態では、たとえば３個）の係止部２６０が形成されている。
【００４２】
メッシュ板２３は、複数の円形の細孔が規則的にメッシュ状に形成されたほぼ円形の金属板（たとえば、ＳＵＳ（ステンレス））からなる。メッシュ板２３は、その中心に貫通孔２３４が形成され、またその外周に複数（この実施の形態では、たとえば４個）の凹部２３１が形成されている。貫通孔２３４は、文字板２０がタコメータとして使用される場合に、ムーブメント（図示しないが、たとえばステッパモータ、以下同様）の回転軸を通すためのものである。
【００４３】
また、メッシュ板２３の円形外周の一部から突出する突出部２３２が形成されている。この突出部２３２から貫通孔２３４付近までほぼ長方形の表示器用窓２３３が形成されている。また、メッシュ板２３の外周付近には、リング状文字板２１の位置決め用突起２１５を挿通するための位置決め用穴２３５が形成されている。
【００４４】
ウォーニング表示用文字板２４は、透明な合成樹脂（たとえば、ＰＣ（ポリカーボネート））から作られており、その形状はメッシュ板２３と同一である。すなわち、ウォーニング表示用文字板２４は、ほぼ円形の平板状に形成されている。そして、その外周に複数（この実施の形態では、たとえば４個）の凹部２４１が形成され、その中心に貫通孔２４４が形成されている。この貫通孔２４４は、文字板２０がタコメータとして使用される場合に、ムーブメント（図示しない）の回転軸を通すためのものである。
【００４５】
また、ウォーニング表示用文字板２４の円形外周の一部から突出する突出部２４２が形成されている。この突出部２４２から貫通孔２４４付近までほぼ長方形の表示器用窓２４３が形成されている。この表示器用窓２４３は、ウォーニング表示用文字板２３の表示器用窓２３３と同一寸法とされている。また、ウォーニング表示用文字板２４の外周付近には、リング状文字板２１の位置決め用突起２１５を挿通するための位置決め用穴２４５が形成されている。
【００４６】
また、ウォーニング表示用文字板２４の裏面には、複数のウォーニング意匠２４６部分を除いた意匠抜き印刷による遮光層が形成されている。
【００４７】
次に、上述の文字板２０の組立方法について説明する。
【００４８】
まず、導光板２５のリング状部２５３の表面２５３ａ上に、開口部２５２と開口部２２２が一致するようにドーナツ状文字板２２を載置する。この際、ドーナツ状文字板２２のスリット２２５に、導光板２５のリング状部２５３の表面２５３ａに突設された突出部２５５を挿入する。
【００４９】
次に、ドーナツ状文字板２２上にリング状文字板２１を載置する。この際、リング状文字板２１の表示部２１２のスリット２１６に、導光板２５のリング状部２５３の表面２５３ａに突設された突出部２５５を挿入する。また、リング状文字板２１の位置決め用突起２１５を、ドーナツ状文字板２２の位置決め用穴２２６を介して、導光板２５のリング状部２５３の位置決め用穴２５６に挿入する。その後、リング状文字板２１のフック部２１４を、導光板２５の係止部２６０に係止させる。
【００５０】
図５は、リング状文字板２１のフック部２１４と導光板２５の係止部２６０の係止を説明するための要部拡大斜視図である。図５に示すように、係止部２６０は、リング状部２５４の外周側部から斜面を形成するように突出する斜面部２６０ａと、斜面部２６０ａの下側に形成される段部２６０ｂとを有する。
【００５１】
フック部２１４のフック２１４ａは弾性を有し、係止時、係止部２６０の斜面部２６０ａの斜面に沿ってたわみながら下方にスライドして、係止部２６０の段部２６０ｂにパチッと係合する。
【００５２】
このようにして、リング状文字板２１およびドーナツ状文字板２２は、導光板２５に固定される。
【００５３】
次に、導光板２５のリング状部２５３の裏面２５３ｃにメッシュ板２３が載置される。この際、メッシュ板２３は、その表示器用窓２３３の位置をドーナツ状文字板２２の開口部２２２および導光板２５の開口部２５２に一致させると共に、凹部２３１をボス２５７，２５８の外周に合わせる。そして、メッシュ板２３の位置決め用穴２３５に、裏面２５３ｃの突起２５９を挿入する。
【００５４】
次に、メッシュ板２３の上にウォーニング表示用文字板２４が載置される。この際、ウォーニング表示用文字板２４は、その表面側がメッシュ板２３側に面するようにする。また、その表示器用窓２４３の位置をメッシュ板２３の表示器用窓２３３に一致させると共に、凹部２４１をボス２５７，２５８の外周に合わせる。そして、ウォーニング表示用文字板２４の位置決め用穴２４５に、裏面２５３ｃの突起２５９を挿入する。この突起２５９は、ウォーニング表示用文字板２４の載置時にその位置決め用穴２４５からわずかに突出する寸法になっている。
【００５５】
次に、突起２５９の先端を加熱し、ウォーニング表示用文字板２４に溶着する。このようにして、文字板２０は組立てを完了する。
【００５６】
このような構造の文字板２０は、ドーナツ状文字板２２の開口部２２１中にメッシュ板２３が視認できる。したがって、文字板２０の前面の全体が金属調となり、高級感が得られる。また、リング状文字板２１のすり鉢状の表示部２１２と、ドーナツ状文字板２２の平板状の表示部２２３ａおよびすり鉢状曲面部２２３ｂと、メッシュ板２３とが、それぞれ、段差を生じるように組み立てられているので、文字板の外周から中心に向かって沈み込むように視認でき、立体感がある。
【００５７】
次に、上述の文字板を用いた車載用計器装置の構成例について、図６から図８を参照して説明する。
【００５８】
図６に示す車載用計器装置は、車両に搭載され、運転者に車両の運転に役立つ種々の情報を表示するものである。この車載用計器装置は、計器装置のケーシングとしての裏ケース９０および表ケース１００と、プリント基板１１０と、メータ基板８０と、見返し板６０と、透明な表カバー７０とを備えている。
【００５９】
また、車載用計器装置は、複数の表示計器、すなわち、車両のエンジン回転数を表示する表示計器としてのタコメータ２００と、走行速度を表示する表示計器としてのスピードメータ３００と、燃料の残量を表示する表示計器としてのフューエルメータ４００と、エンジン冷却水の温度を表示する表示計器としての温度計５００とを備えている。
【００６０】
タコメータ２００は、上記に説明した構成を有する文字板２０と、指針２６と、指針２６を駆動するムーブメント（プリント基板１１０に実装されているが、図示しない）等により構成されている。
【００６１】
スピードメータ３００は、文字板２０とほぼ同一構成の文字板３０と、指針３６と、指針３６を駆動するムーブメント（プリント基板１１０に実装されているが、図示しない）等により構成されている。すなわち、文字板３０は、リング状文字板３１、ドーナツ状文字板３２、メッシュ板３３、ウォーニング表示用文字板３４および導光板３５からなる。リング状文字板３１は、文字板２０のリング状文字板２１と同一構造だが、走行速度表示のための線目盛を有する。ドーナツ状文字板３２は、文字板２０のドーナツ状文字板２２とほぼ同一構造だが、走行速度表示のための数字目盛を有する。メッシュ板３３は、文字板２０のメッシュ板２３とほぼ同一構造だが、メッシュ板２３の表示器用窓２３３に対して中心から見て対称的な位置に形成された表示器用窓３３３を有する。ウォーニング表示用文字板３４は、文字板２０のウォーニング表示用文字板２４とほぼ同一構造だが、ウォーニング表示用文字板２４の表示器用窓２４３に対して中心から見て対称的な位置に形成された表示器用窓３４３を有する。導光板３５は、文字板２０の導光板２５と同一構造だが、導光板２５の開口部２５２に対して中心から見て対称的な位置に形成された開口部３５２を有する。
【００６２】
フューエルメータ４００は、文字板２０と類似した構成の文字板４０と、指針４６と、指針４６を駆動するムーブメント（プリント基板１１０に実装されているが、図示しない）等により構成されている。すなわち、文字板４０は、リング状文字板４１、メッシュ板４２、遮光板４３および導光板４４からなる。リング状文字板４１は、文字板２０のリング状文字板２１と同一構造だが、燃料の残量表示のための線目盛を有する。メッシュ板４２は、文字板２０のメッシュ板２３とほぼ同一構造だが、表示器用窓２３３に相当するものはない。また、メッシュ板４２は、細孔のない部分を有し、この部分に線目盛とフューエルメータを表す図形とが印刷等により設けられている。導光板４４は、文字板２０の導光板２５とほぼ同一構造だが、開口部２５２に相当するものはない。
【００６３】
温度計５００は、文字板２０と類似した文字板５０と、指針５６と、指針５６を駆動するムーブメント（プリント基板１１０に実装されているが、図示しない）等により構成されている。すなわち、文字板５０は、リング状文字板５１、メッシュ板５２、遮光板５３および導光板５４からなる。リング状文字板５１は、文字板２０のリング状文字板２１と同一構造だが、温度表示のための線目盛を有する。メッシュ板５２は、文字板２０のメッシュ板２３とほぼ同一構造だが、表示器用窓２３３に相当するものはない。また、メッシュ板５２は、細孔のない部分を有し、この部分に線目盛と温度計を表す図形とが印刷等により設けられている。導光板５４は、文字板２０の導光板２５とほぼ同一構造だが、開口部２５２に相当するものはない。
【００６４】
タコメータ２００、スピードメータ３００、フューエルメータ４００および温度計５００は、それぞれ、メータ基板８０に形成された開口部８０ａ、８０ｂ、８０ｃおよび８０ｄに嵌合されて一体化され、表ケース１００の凹部１００ａ、１００ｂ、１００ｃおよび１００ｄに収容されて固定される。メータ基板８０は、合成樹脂板の表面に金属調の処理（メッキ、蒸着、塗装等）が施されて形成されている。金属調の処理が施された表面には、ヘアライン加工が施されている。
【００６５】
図７は、タコメータ２００の文字板２０の表ケース１００への配置を説明する図である。表ケース１００の凹部１００ａには、文字板２０のウォーニング表示用文字板２４の各ウォーニング意匠２４６に対応する位置に導光穴１１０ａ１が形成され、導光板２５のボス２５７および２５８に対応する位置に取付穴１００ａ２および１００ａ３が形成され、導光板２５のリング状部２５３の入射用突出部２５４に対応する位置に導光穴１１０ａ４が形成されている。
【００６６】
導光穴１００ａ１は、プリント基板１１０に実装された第２の光源としてのウォーニング用光源であるＬＥＤ（たとえば、赤色ＬＥＤ）１１０ｃからの発光をウォーニング表示用文字板２４のウォーニング意匠２４６に導く役目を行う。また、導光穴１００ａ４は、プリント基板１１０に実装された第１の光源としての文字板用光源であるＬＥＤ（たとえば白色ＬＥＤ）１１０ｂからの発光を導光板２５のリング状部２５３の突出部２５５に導く役目を行う。また、取付穴１００ａ３は、導光板２５のリング状部２５３のボス２５８および位置決め用ピン２５８ａが挿入されて、文字板２０の取り付けの際に位置決めする役目を行う。さらに、取付穴１００ａ２は、導光板２５のリング状部２５３のボス２５７が挿入され、ネジ穴２５７ａにネジ（図示しない）が挿入されて文字板２０を表ケース１００に固定するのに役立つ。
【００６７】
図８は、ウォーニング表示部分を説明するための要部拡大断面図である。図８に示すように、ウォーニング意匠２４６は、プリント基板１１０に実装されたウォーニング用光源であるＬＥＤ１１０ｂからの赤色発光が表ケース１００の導光穴１１０ａ１を介して照射される。したがって、ＬＥＤ１１０ｂの点灯時には、赤く光るウォーニング意匠２４６をメッシュ板２３を介して視認することができ、消灯時には、ウォーニング意匠２４６はメッシュ板２３により遮られてほとんど視認できないことになる。これは、メッシュ板２３が、複数の細孔が規則的にメッシュ状に形成されており、細孔は、ＬＥＤ１１０ｃの点灯時にウォーニング意匠２４６がメッシュ板２３を介して視認され、ＬＥＤ１１０ｃの消灯時にウォーニング意匠２４６がメッシュ板２３を介してほとんど視認されない程度の寸法で形成されているからである。
【００６８】
すなわち、ウォーニング表示用文字板２４（およびリング上文字板２１とドーナツ上文字板２２）、メッシュ板２３、ＬＥＤ１１０ｃ、指針２６、および指針２６を駆動するムーブメントとで、ブラックフェースタイプの表示計器が構成される。このような構成のブラックフェースタイプの表示計器では、メッシュ板が、斬新で単純な構成の金属調の高級感を演出する役目と、光源点灯時に表示意匠が視認できかつ光源消灯時に表示意匠がほとんど視認できない、いわゆるブラックフェースの役目を兼用している。
【００６９】
タコメータ２００の文字板２０の表ケース１００への配置は、以上の通りであるが、スピードメータ３００の文字板２０の表ケース１００への配置も、図７および図８と同様の構成となっている。
【００７０】
また、タコメータ２００とスピードメータ３００は、文字板２０の開口部２２２、２５２と表示器用窓２３３および２４３が、文字板３０の開口部３２２、３５２と表示器用窓３３３および３４３に互いに対向して整列するように配置されている。
【００７１】
裏ケース９０と表ケース１００は、その間にプリント基板１１０をはさむようにして一体的なケーシングとなるように互いに固定される。
【００７２】
プリント基板１１０には、タコメータ２００、スピードメータ３００、フューエルメータ４００および温度計５００の情報表示のための電気回路を構成する複数の電気部品（図示しない）が実装されている。また、プリント基板１１０には、長方形の表示画面を有するＬＣＤ（液晶ディスプレイ）１１０ａと、ＬＥＤ１１０ｂおよび１１０ｃと、図示しない各メータ用のムーブメントも実装されている。
【００７３】
ＬＣＤ１１０ａは、表ケース１００の中央付近に形成された開口部１００ｅを通過して表ケース１００の表面側に露出するように配置されている。また、ＬＣＤ１１０ａは、その表示画面において、図中左側半分にスピードメータ３００に関連する補助情報を表示すると共に、図中右側半分にタコメータ２００に関連する補助情報を表示する。
【００７４】
上述の構成の車載用計器装置によれば、透明な表カバー７０側から見た場合に、メータ基板８０と、メータ基板８０に嵌合された各メータ、すなわちタコメータ２００、スピードメータ３００、フューエルメータ４００および温度計５００とが、全て金属の表面を持っているので、全体が違和感のない金属調の高級感があるように視認される。
【００７５】
また、ＬＣＤ１１０ａに表示されるタコメータ２００に関連する補助情報とスピードメータ３００に関連する補助情報を、２つのメータ、すなわちタコメータ２００とスピードメータ３００のそれぞれの表示器用窓にまたがって視認することができ、斬新な表示形態を得ることができる。
【００７６】
さらに、従来のように多層構造ではない意匠抜き印刷だけによる簡単な構成のウォーニング表示用文字板２４と、メッシュ板２３との組み合わせにより、ウォーニング意匠部分が、ウォーニング用光源の点灯時以外は、運転手側からはほとんど見えない構造とすることができる。
【００７７】
以上の通り、本発明の実施の形態について説明したが、本発明はこれに限らず、種々の変形、応用が可能である。
【００７８】
たとえば、メッシュ板２３およびウォーニング表示用文字板２４は、ドーナツ状文字板２２と導光板２５の間に挟み込んで固定する構造としても良い。
【図面の簡単な説明】
【００７９】
【図１】本発明による文字板の実施の形態を示す斜視図である。
【図２】本発明による文字板の実施の形態を示す背面図である。
【図３】本発明による文字板の実施の形態を示す分解斜視図である。
【図４】（Ａ）および（Ｂ）は、それぞれ、本発明による文字板の実施の形態を示す要部拡大斜視図および断面図である。
【図５】本発明による文字板の実施の形態を示す要部拡大斜視図である。
【図６】本発明による文字板を用いた車載用計器装置の構成例を示す分解斜視図である。
【図７】図６の車載用計器装置の部分拡大斜視図である。
【図８】図６の車載用計器装置の要部拡大断面図である。
【図９】従来の計器用文字板の構造例を示す正面図である。
【図１０】従来の計器用文字板の構造例を示す要部断面図である。
【符号の説明】
【００８０】
２０      文字板
２１      リング状文字板（第１の文字板の一部）
２２      ドーナツ状文字板（第１の文字板の一部）
２３      メッシュ板
２４      ウォーニング表示用文字板（第２の文字板）
２５      導光板
２６      指針
３０      文字板
３１      リング状文字板
３２      ドーナツ状文字板
３３      メッシュ板
３４      ウォーニング表示用文字板
３５      導光板
３６      指針
６０      見返し板
７０      表カバー
８０      メータ基板
９０      裏ケース
１００    表ケース
１１０    プリント基板
１１０ａ  ＬＣＤ（表示器）
１１０ｂ  ＬＥＤ（第１の光源）
１１０ｃ  ＬＥＤ（第２の光源）
２００    タコメータ（第１の表示計器）
２１１    開口部
２１２    表示部
２１３    環状部
２１４    フック部
２１５    位置決め用突起
２１６    スリット
２１７    線目盛
２２１    開口部
２２２    開口部
２２３    ドーナツ状部
２２３ａ  表示部
２２３ｂ  すり鉢状曲面部
２２４    数字目盛
２２５    スリット
２２６    位置決め用穴
２３１    凹部
２３２    突出部
２３３    表示器用窓
２３４    貫通孔
２３５    位置決め用穴
２４１    凹部
２４２    突出部
２４３    表示器用窓
２４４    貫通孔
２４５    位置決め用穴
２４６    ウォーニング意匠
２５１    開口部
２５２    開口部
２５３    リング状部
２５３ａ  表面
２５３ｂ  Ｖ字状凹部
２５３ｃ  裏面
２５４    入射用突出部
２５５    突出部
２５６    位置決め用穴
２５７    ボス
２５７ａ  ネジ穴
２５８    ボス
２５８ａ  位置決め用ピン
２５９    突起
２６０    係止部
３００    スピードメータ（第２の表示計器）
３２２    開口部
３３３    表示器用窓
３４３    表示器用窓
３５２    開口部
４００    フューエルメータ
５００    温度計
【図１】
2005077208.tif 000003
【図２】
2005077208.tif 000004
【図３】
2005077208.tif 000005
【図４】
2005077208.tif 000006
【図５】
2005077208.tif 000007
【図６】
2005077208.tif 000008
【図７】
2005077208.tif 000009
【図８】
2005077208.tif 000010
【図９】
2005077208.tif 000011
【図１０】
2005077208.tif 000012